(57)【特許請求の範囲】
【請求項１】
少なくとも、
円板体がスライドするための基板手段（１１，１２）と、
前記円板体を一個一個放出するためのディスク手段（２２，２３）と、
このディスク手段を回転するための回転軸手段（１０，１９）と、
この回転軸手段を前記基板手段に対してスライドさせるための昇降体手段（１３，１５）と、
この昇降体手段をスライドして前記円板体の厚さに応じて前記基板手段と前記ディスク手段との間隔を調節するための操作体手段（１６，１７）と、
を備えていることを特徴とした円板体放出装置。
【請求項２】
請求項１の記載において、前記回転軸手段が前記操作体手段の一部を回転自在に貫通していることを特徴とした円板体放出装置。
【請求項３】
請求項２の記載において、前記昇降体手段と前記操作体手段とが互いに鋸歯形状で噛み合っていることを特徴とした円板体放出装置。
【発明の詳細な説明】
【０００１】
【発明の属する技術分野】
本発明は貨幣である円板形のコインあるいはゲーム機に使用される円板形のメダルなどの円板体を一個一個放出するための装置に関する。
とくに本発明は放出したい所望の円板体の厚さに応じて簡単に厚さ調節が出来る円板体の放出装置に関する。
更には本発明は円板体のサイズに応じて簡単にサイズ調整が出来るディスク変更可能な円板体放出装置に関する。
【０００２】
言い換えると本発明は世界各国のコインに応じて各国コインのサイズに簡単に適用できる円板体放出装置に関する。
【従来の技術】
従来の円板体放出装置はコインを一個一個放出するためのディスク（例えば添付図１の符号２２を参照）を回転する軸（例えば添付図１の符号１９を参照）が電気モータの回動軸と噛み合うギア装置の回転軸であった。
言い換えると従来の円板体放出装置は電気モータの回動軸の横に並べられて連結されたギア装置の回転軸にコイン放出用のディスクが固定されていた。
【０００３】
またコインの厚さに応じてコイン放出用ディスクの回転軸にワッシャ（図示略）を外装して基板（例えば添付図１の符号１１を参照）に対する厚さすなわち高さを調節していた。
【発明が解決しようとする課題】
したがって電気モータの回動軸と横に並べられたギア装置の回転軸とは平行であるものの離れた位置にあるため装置全体が横に大きくなるという問題があった。加えてコイン放出用のディスクを取り替える場合にはギア装置の回転軸から放出用ディスクをネジ止めから取り外すなどの煩雑さがあった。
【０００４】
またコイン厚さ調節用のワッシャを装着する場合などにも放出用ディスクを取り外すか或いは回転軸を取り外す必要があった。
本発明は電気モータの回動軸線とギア装置の回転軸線とを同じ一直線にした小形で構造の簡単な円板体放出装置を提供する目的から開発されたものである。
加えて本発明はコイン放出用ディスクを殆どワンタッチで取り替えることができる円板体放出装置の提供を目的に開発されたものである。
また本発明はコイン厚さの調節を極めて簡便に出来る円板体放出装置の提供を目的に開発されたものである。
【０００５】
【課題を解決するための手段】
本発明は少なくとも、円板体がスライドするための基板手段と、前記円板体を一個一個放出するためのディスク手段と、このディスク手段を回転するための回転軸手段と、この回転軸手段を前記基板手段に対してスライドさせるための昇降体手段と、この昇降体手段をスライドして前記円板体の厚さに応じて前記基板手段と前記ディスク手段との間隔を調節するための操作体手段と、を備えていることを特徴とした円板体放出装置である。
【０００６】
また本発明は、前記回転軸手段が前記操作体手段の一部を回転自在に貫通していることを特徴とした円板体放出装置である。
加えて本発明は、前記昇降体手段と前記操作体手段とが互いに鋸歯形状で噛み合っていることを特徴とした円板体放出装置である。
【発明の実施の形態】
以下に本発明を其の実施について添付の図面を参照しつつ説明する。
図１は本発明による一実施例の要部を分解して示す概略的な斜視図である。
図２は図１の実施例の要部を組み込んで示した概略的な斜面図である。
【０００７】
図３は図２を正面から見た断面の概略的な端面図である。
図４はそれぞれ図３の調節例を示す概略的な断面端面図である。
まず図１の中央に示される大きな正方板の部材は取り付け用の基板１１であり此の基板１１の中央には略Φ形の貫通孔１２が形成されている。
図１中央に示される小さな円リング形の昇降体１３は樹脂製であって上半分は貫通孔１２内を昇降スライド自在になる。
なお昇降体１３の上半分には回り止めの突起１４が形成されている。したがって貫通孔１２と昇降体１３の上半分とが角リング形状であっても良いことは勿論である。
【０００８】
そして昇降体１３の下半分はやや大きく形成されて貫通孔１２から抜け止めになると共に底部に鋸歯１５が形成されている。
図１の中央下に示される虫メガネ形の操作体１６も樹脂製であってリング部の頂部には鋸歯１７が形成され昇降体１３の鋸歯１５と噛み合い自在になる。
なお操作体１６の柄部には円弧形の長孔１８が開口されており該長孔１８を介在して当該操作体１６は基板１１の下面にビス止めで固定される。
図１の下方に示されるやや大きな厚手リング形の蓋板３１は遊星ギア装置３０（図３を参照）を構成しており複数個のカラー２１を介在して基板１１の下面に固定される。
【０００９】
図１の上方に示される短い回転軸１９は貫通孔１２、リング形の昇降体１３、操作体１６のリング部ならびに蓋板３１を貫入自在になる。
回転軸１９の上方端にはやや大きなディスク２２が外装されてビス２３（図３を参照）などによって固定される。
言い換えるとディスク２２の中央に回転軸１９が一体的に固定される。
したがってディスク２２と回転軸１９とが焼結金属などで一体的に形成されても良いことは勿論である。
【００１０】
図１の中央左に示される符号１０はストッパでありノミ刃形のくさび部９を有して後記するように回転軸１９を抜け止めにする。
ここで短い回転軸１９について説明を追加すると、回転軸１９は金属製であり中央部に錐形部８が形成され上端部にはＤ形のナット部７が形成され更に下端部には六角形のギア部６が形成されている。
さらに此処で図３の厚手円板形になる遊星ギア装置３０について概略的に説明する。
【００１１】
まず円柱形の電気モータ４０の回動軸（図示略）の突出端部に小さい太陽ギア（図示略）が形成されている。
そして此の太陽ギアの周囲に複数個の遊星ギア（図示略）が噛み合って配置されている。さらに此等の遊星ギアを囲んで噛み合う大きな内歯ギア（図示略）が固定されている。
そして前記遊星ギアの各軸がキャリア板３２（図１を参照）の各孔３３に回転自在に挿入されている。
したがって電気モータ４０が駆動されるとキャリア板３２は大きく減速されて回転されることになる。
【００１２】
キャリア板３２を更に説明すると中央に六角形の筒部３４が形成されて此の筒部３４に回転軸１９のギア部６が挿嵌自在になる。
【実施例】
上述の構成からなる本実施例は図２ならびに図３に示されるように先ず基板１１の貫通孔１２内に昇降体１３の上半分が昇降自在に挿入される。
そして操作体１６のリング部が昇降体１３の底部に接触されて此等の鋸歯１５，１７が噛み合わされながら操作体１６の柄部が基板１１の下面に固定される。
【００１３】
すなわち操作体１６の柄部に開口された長孔１８にビス（図示略）が挿入されて基板１１の下面に固定される。
つぎに基板１１の下面に複数個のカラー２１ならびに蓋板３１を介在して遊星ギア装置３０ならびに電気モータ４０が取り付けられる。
そして回転軸１９のナット部７がディスク２２の中央孔に貫入されビス２３によって此等が固定される（図３を参照）。
こののち回転軸１９のギア部６がリング形の昇降体１３ならびに操作体１６のリング部そしてリング形の蓋板３１に挿入される。
【００１４】
ギア部６は更に遊星ギア装置３０のキャリア板３２の筒部３４に挿入されて嵌合され互いに噛み合わされる。
こののちストッパ１０先端のくさび部９が操作体１６のリング部に開口された長孔５ならびに蓋板３１中央に形成された筒部３５に孔を介して貫入される。
かくしてくさび部９は回転軸１９の錐形部８に接触されて回転軸１９が抜け止めに保持されることになる（図３を参照）。
なおストッパ１０は元端部に開口された長孔４を介在して基板１１の下面にビス（図示略）止めされる。
【００１５】
上述した状態すなわち図２ならびに図３の状態が図４の（Ａ）に示されている。すなわち操作体１６が操作されずに鋸歯１５，１７を介在して昇降体１３が当該操作体１６と全面的に噛み合っている状態である。
言い換えると基板１１から昇降体１３が突出していない状態が示されている。
したがって基板１１とディスク２２との間隔である高さ３が最も低くなってコインなどの薄い円板体（図示略）の厚さに適合できることになる。
コインなどの円板体が厚手の場合には操作体１６の柄部が回転されて固定され互いに噛み合う鋸歯１５，１７を介在して昇降体１３が基板１１から突出される。
【００１６】
したがって図４の（Ｂ）に示されるように基板１１とディスク２２との間隔である高さ２が高くなってコインなどの厚い円板体の厚さに適合できることになる。すなわち回り止めされた昇降体１３の鋸歯１５を形成する傾斜面が操作体１６の鋸歯１７を形成する傾斜面によって上昇されるため結果として昇降体１３が基板１１から突出されることになる。
このことから他の実施例として昇降体１３の底部に一個の傾斜面を形成しておき、この傾斜面に接触するノミ形の傾斜部をもつ操作体１６を基板１１に対してスライド自在に配設しておくと、該操作体１６を回転せずに押し出しすることによって当該昇降体１３を上昇できることは勿論である。
【００１７】
なお上記に述べた本実施例は図３から明らかなように装置全体の中心軸線が一本の中心軸線４１に纏まることになる。
すなわち棒形である回転軸１９の中心軸線と厚い円板形である遊星ギア装置３０の中心軸線と円柱形である電気モータ４０の中心軸線とが一直線になる。
このため構造がシンプルになって強固になると共に装置の取り付けが簡便になる。加えて中心軸線４１まわりの形状になるためコインなどの円板体の放出方向が３６０度の任意の方向に可能になり所望の放出位置を選択できることになる。
さらにディスク２２と回転軸１９とを一体的に形成しておくと回転軸１９の下端であるギア部６をキャリア板３２の筒部３４に挿入して嵌合するだけで殆どワンタッチで連結できることになる。
【００１８】
また本実施例はコイン厚さに対して簡単に調整できるため種々のコインサイズに対応したディスク２２を準備しておくと世界各国のコインに容易に適用できることになる。なお回転軸１５のギア部２２ならびにキャリア板３２の筒部３４をそれぞれ六角形として説明したが星形あるいは花弁形が望ましいことは勿論である。言い換えると強いトルクに対しても六角形の角部が潰れないような形状が望ましいことは勿論である。
【発明の効果】
以上のようになる本発明によるとコイン放出用ディスクを殆どワンタッチで取り替えることができると云う効果がある。
とくに本発明によるとコイン厚さが異なる場合の基板手段とディスク手段との間隔の調節が極めて簡単に行えるという大きな利点が得られることになる。
【図面の簡単な説明】
【図１】図１は本発明による一実施例の要部を分解して示す概略的な斜視図である。
【図２】図２は図１の要部を組み込んだ状態で示す概略的な斜面図である。
【図３】図３は図２を正面から見た断面の概略的な端面図である。
【図４】図４はそれぞれ図３の調節例を示す概略的な断面端面図である。
【符号の説明】
基板手段・・・
１１：基板、
１２：貫通孔、
ディスク手段・・・
２２：ディスク、
２３：ビス、
回転軸手段・・・
１０：ストッパ、
１９：回転軸、
昇降体手段・・・
１３：昇降体、
１５：鋸歯、
操作体手段・・・
１６：操作体、
１７：鋸歯。
【図１】
0003561743.tif 000002
【図２】
0003561743.tif 000003
【図３】
0003561743.tif 000004
【図４】
0003561743.tif 000005